(57)【要約】【課題】ヘッド部と柄との噛合状態を容易に解除可能なレンチを提供する。【解決手段】柄１２の両端には、ヘッド部１４が別々に連結される。柄１２の第一端２０は上下に配列される上垣部２１および下垣部２２を有し、二つの垣部の間に空間２４が形成される。上垣部２２に第一歯形孔２５が配置され、下垣部２２に貫通孔２７が配置される。空間２４に入り込むヘッド部１４の第二端３０は第二歯形孔３２を有する。第一端２０と第二端３０とを結合させるため、周面にストッパー４４を有する係止柱４０は二つの歯形孔２５、３２および貫通孔２７の中に装着される。このようなレンチによると、柄１２の両端にヘッド部１４を相対角度を調整可能に連結することができる。また、ストッパー４４によりヘッド部１４と柄１２との噛合状態を容易に解除することができる。【選択図】  図２
0003150263.tif 000002
【実用新案登録請求の範囲】
【請求項１】
柄および少なくとも一つのヘッド部を備え、柄とヘッド部との相対角度を調整可能に柄およびヘッド部が第一端および第二端によって連結され、ヘッド部の他端が嵌合端であるレンチであって、
第一端は上下に配列される上垣部および下垣部を有し、上垣部および下垣部の間に空間が形成され、第一歯形孔は上垣部に配置されると共に孔壁に複数の歯を有し、貫通孔は第一歯形孔に対応するように下垣部に配置され、
第二歯形孔は第二端に配置されると共に孔壁に複数の歯を有し、第二端は上垣部およびと下垣部の間の空間に入り込み上垣部および下垣部の間に位置付けられ、第二歯形孔は第一歯形孔および貫通孔の間に位置付けられ、
係止柱は、周面に複数の歯を有し、第一歯形孔および第二歯形孔の間に装着され、第一および第二歯形孔の中を移動可能であり、上方の噛合位置または下方の解除位置に移動可能であり、
係止柱が噛合位置に据えられる際、係止柱の歯は同時に第一歯形孔および第二歯形孔の歯と噛み合い、係止柱が解除位置に据えられる際、係止柱の歯は第一歯形孔の歯と分離し、第二歯形孔の歯と噛み合うことを特徴とするレンチ。
【請求項２】
係止柱は、底面に少なくとも一つの弾性固定ユニットを有し、係止柱が噛合位置に据えられる際、弾性固定ユニットは貫通孔の孔壁に突き当たることを特徴とする請求項１に記載のレンチ。
【請求項３】
貫通孔は、孔壁に突出縁部を有し、係止柱が噛合位置に据えられる際、弾性固定ユニットは突出縁部に突き当たることを特徴とする請求項２に記載のレンチ。
【請求項４】
係止柱は、周面にストッパーを有し、ストッパーの外径が第二歯形孔の内径より大きく、係止柱が噛合位置に据えられる際、ストッパーは第二歯形孔の底部に突き当たることを特徴とする請求項１に記載のレンチ。
【請求項５】
ストッパーは、Ｃ形リングを有し、かつ係止柱の周面に嵌合されることを特徴とする請求項４に記載のレンチ。
【請求項６】
貫通孔は、周面に突出縁部を有し、係止柱は下方の解除位置に移動すると突出縁部によって固定されることを特徴とする請求項１に記載のレンチ。
【請求項７】
係止柱は、周面にストッパーを有し、係止柱を下方の解除位置に移動させる際、ストッパーは突出縁部の頂面に突き当たることを特徴とする請求項６に記載のレンチ。
【請求項８】
係止柱の歯は、係止柱の頂部の周面のみに配置されることを特徴とする請求項１に記載のレンチ。
【考案の詳細な説明】
【技術分野】
【０００１】
本考案は、レンチに関する。
【背景技術】
【０００２】
従来のレンチは、ヘッド部と柄とが互いに連結され固定されているため、狭い空間または手が届きにくい隅にナットが位置する場合には利用しづらい。それに対し、本考案者は、レンチの柄とヘッド部とを可動にすることによって狭い空間での使用に容易に応じるため、米国特許第６，９２８，９０４号による「Ｈａｎｄ  ｔｏｏｌ  ｈａｖｉｎｇ  ａ  ｑｕｉｃｋ  ｄｒｉｖｉｎｇ  ｅｆｆｅｃｔ」および米国特許第７，３７３，８６１号による「Ｐｉｖｏｔｉｎｇ  ａｓｓｅｍｂｌｙ  ｏｆ  ａ  ｈａｎｄ  ｔｏｏｌ  」を提示した。
【０００３】
米国特許第６，９２８，９０４号において、レンチは、ヘッド部に歯形孔を有し、柄は前端に歯形柱を有する。柄の歯形柱をヘッド部の歯形孔に差し込み、歯形柱の歯と歯形孔の歯とを噛み合せれば使用が可能である。ヘッド部と柄の角度を変更する際、柄を持ち上げ、柄とともに歯形柱を移動させ、歯形柱と歯形孔とを分離させれば、ヘッド部と柄との相対角度を調整することが可能である。調整後、再び歯形柱を歯形孔に差し込み、歯形柱と歯形孔とを噛み合せれば、調整した角度に柄およびヘッド部を固定することが可能である。
【０００４】
米国特許第７，３７３，８６１号において、同様にレンチは、ヘッド部に歯形孔を有し、柄は前端に歯形柱を有する。歯形柱を歯形孔に完全に差し込み、歯形柱の歯と歯形孔の歯とを噛み合せれば、柄およびヘッド部を一定の角度に維持することが可能である。同様に柄を持ち上げ、柄とともに歯形柱を移動させ、歯形柱の歯と歯形孔の歯とを分離させれば、ヘッド部と柄との相対角度を調整することが可能である。
【０００５】
しかしながら、上述したレンチでは、レンチのヘッド部と柄との相対角度を調整する際、柄を動かさなければならない。つまり、ヘッド部と柄との噛合状態を解除するには、柄とヘッド部とを相対的に移動させる必要がある。この操作方法は両手を使わなければならず、片方の手で柄を握り、別の片方の手でヘッド部を固定するため、使用に不便であった。
【考案の概要】
【考案が解決しようとする課題】
【０００６】
本考案の主な目的は、ヘッド部と柄との噛合状態を容易に解除可能なレンチを提供することである。
【課題を解決するための手段】
【０００７】
本考案は、柄および少なくとも一つのヘッド部を備え、柄とヘッド部との相対角度を調整可能に柄およびヘッド部が第一端および第二端によって連結され、ヘッド部の他端が嵌合端となっている。
第一端は上下に配列される上垣部および下垣部を有し、上垣部および下垣部の間に空間が形成され、第一歯形孔は上垣部に配置されると共に孔壁に複数の歯を有し、貫通孔は第一歯形孔に対応するように下垣部に配置されている。
第二歯形孔は第二端に配置されると共に孔壁に複数の歯を有し、第二端は上垣部およびと下垣部の間の空間に入り込み上垣部および下垣部の間に位置付けられ、第二歯形孔は第一歯形孔および貫通孔の間に位置付けられる。
係止柱は、周面に複数の歯を有し、第一歯形孔および第二歯形孔の間に装着され、第一および第二歯形孔の中を移動可能であり、上方の噛合位置または下方の解除位置に移動可能である。
係止柱が噛合位置に据えられる際、係止柱の歯は同時に第一歯形孔および第二歯形孔の歯と噛み合い、係止柱が解除位置に据えられる際、係止柱の歯は第一歯形孔の歯と分離し、第二歯形孔の歯と噛み合う。
【図面の簡単な説明】
【０００８】
【図１】本考案の一実施形態によるレンチを示す斜視図。
【図２】図１の分解斜視図。
【図３】本考案の一実施形態によるレンチにおける第一端および第二端を示す断面図。
【図４】図１の縦方向に沿った断面図。
【図５】図４の部分拡大図。
【図６】係止柱を下方の解放位置に移動させる状態を示す模式図。
【図７】図１の部分平面図。
【考案を実施するための形態】
【０００９】
（一実施形態）
以下、本考案の一実施形態を図面に基づいて説明する。
本考案の一実施形態によるレンチ１０は、図１および図２に示すように、柄１２を有する。本実施形態において、柄１２の両端は、それぞれヘッド部１４が別々に連結される。ヘッド部１４および柄１２は第一端２０および第二端３０によって連結され、相対角度を調整することができる。
【００１０】
第一端２０を柄１２の一端、第二端３０をヘッド部１４の一端と見なすことができる。同様に、第一端と第二端とを互いに入れ替え、第一端２０をヘッド部１４の一端、第二端３０を柄１２の一端と見なすこともできる。
ヘッド部１４は他端にナットとの連結に用いる連結端１６を有する。連結端１６は開口部（ｏｐｅｎ  ｅｎｄ）またはボックス（ｂｏｘ  ｅｎｄ）にすることができる。ボックスは、多角形の嵌合孔とすることができる。また、ボックスはラチェット（ｒａｔｃｈｅｔ）を有するラチェット構造とすることもできる。連結端１６はソケットとの連結に用いる突出柱（例えば米国特許第６，９２８，９０４号の図２の符号２５に表記される）を有することもできる。連結端は従来の構造であるため詳細な説明を省略する。
【００１１】
図３に示すように、第一端２０は上下に配列される上垣部２１および下垣部２２を有し、二つの垣部の間に空間２４が形成される。第一歯形孔２５は上垣部２２に配置され、孔壁に複数の歯２６を有する。貫通孔２７は歯形孔２５に対応するように下垣部２２に配置される。位置制限に用いる突出縁部２８は貫通孔２７の孔壁に設けられる。
【００１２】
第二端３０は第二歯形孔３２を有し、第二歯形孔３２は孔壁に複数の歯３４を有する。第二端３０は空間２４に入り込み、二つの垣部２１、２２の間に位置付けられる。第二歯形孔３２は第一歯形孔２５および貫通孔２７の間に位置付けられ、それらは互いに対応する。本実施形態は、第二歯形孔３２の底部に歯を配置せず、孔部３６を形成する。孔部３６は必ずしも必要な構造であるとは限らない。
【００１３】
係止柱４０は、外周に複数の歯４２を有する。本実施形態において、歯４２は係止柱の頂部の外周のみに配置される。歯４２は、頂部の外周に限らず、係止柱の頂部及び底部の外周に配置することもできる。図４および図５に示すように第一端２０と第二端３０とを結合させるため、係止柱４０は二つの歯形孔２５、３２および貫通孔２７の中に装着される。
【００１４】
係止柱４０は、図５に示す上方の噛合位置および図６に示す下方の解除位置に移動することができる。詳しく言えば、係止柱４０は周面にストッパー４４を有し、ストッパー４４はＣ形リングを有し、係止柱４０の周面に形成された環状溝４５に嵌合される。ストッパー４４の外径が第二端３０の第二歯形孔３２の内径より大きいため、ストッパー４４は歯形孔３２の底部に突き当たり、図５に示すように、上に移動中の係止柱４０を歯形孔２５、３２から逸脱させないようにすることができる。係止柱４０を図６に示す下方の解除位置に移動させる際、ストッパー４４が突出縁部２８に突き当たる（または歯４２の底部が突出縁部２８に突き当たる）ことによって係止柱４０を逸脱させないようにすることができる。少なくとも一つの弾性固定ユニット４６はスプリングおよびステンレスボールから構成され、係止柱４０の底部に埋め込まれ、かつストッパー４４の下方に位置付けられる。
【００１５】
図１および図５に示すように、使用の際に係止柱４０は第一歯形孔２５および第二歯形孔３２を貫通し、噛合位置に位置付けられ、係止柱の歯４２は同時に二つの歯形孔２５、３２の歯と噛み合うため、第一端２０と第二端３０とは相対的に回転できず噛み合って固定される。このとき柄１２を動かせばヘッド部１４によってナットを回すことができる。係止柱４０の弾性固定ユニット４６は突出縁部２８の頂面に突き当たるため、係止柱４０を噛合位置に維持することができる。比較的好ましい実施形態において、ストッパー４４は同時に第二端３０の底壁に突き当たり、噛合位置に据えられる係止柱４０を上下に移動させないようにすることができる。
【００１６】
係止柱４０を下に押し、図６に示す解除位置まで移動させる際、係止柱４０は第一歯形孔２５から分離する。このとき係止柱４０は、第一歯形孔２５と噛み合わず、第二歯形孔３２のみと噛み合う。第一端２０と第二端３０とは互いに噛み合わず、相対的に回転することができる。ヘッド部１４と柄１２とは図７の破線に示すように係止柱４０を中心に、相対的に回転することができる。ヘッド部１４を回し、所定の角度に位置させた後、係止柱４０を図５に示す噛合位置に復元させれば、再び第一端２０と第二端３０とを噛み合せ、固定することができる。  
【００１７】
係止柱４０を噛合位置から解除位置まで移動させるか、或いは解除位置から噛合位置に復元させる際、弾性固定ユニット４６は突出縁部２８をスライドする。
【００１８】
第一端２０と第二端３０とを、図５に示す噛合状態から図６に示す解除状態に解放する際、柄１２とヘッド部１４とを相対的に移動させる必要はなく、歯形孔２５、３２の間において係止柱４０を移動させさえすればよい。従って、柄１２を握る手の指で係止柱４０を押すと、柄１２とヘッド部１４との噛合状態を解除することができる。
上述のように、本考案は、両手を使うことを必要とせず、片方の手のみで柄とヘッド部との噛合状態を解除し、使用上の便利性を高めることができる。また本考案は構造が簡単で動作が確実であるため、操作に便利である。
【符号の説明】
【００１９】
１０：レンチ、１２：柄、１４：ヘッド部、２０：第一端、２１：上垣部、２２：下垣部、２４：空間、２５：第一歯形孔、２７：貫通孔、３０：第二端、３２：第二歯形孔、４０：係止柱、４２：歯、４４：ストッパー
【図１】
0003150263.tif 000003
【図２】
0003150263.tif 000004
【図３】
0003150263.tif 000005
【図４】
0003150263.tif 000006
【図５】
0003150263.tif 000007
【図６】
0003150263.tif 000008
【図７】
0003150263.tif 000009